(57)【要約】【課題】本発明は室内消毒シャンデリアを開示した。【解決手段】固定板と吊りロッドとを含み、前記吊りロッドの下側には固定軸が固定的に設置され、前記固定軸の中には外に開口した上スライド溝が左右対称的に設置され、前記上スライド溝の中には上スライドブロックがスライドできるように設置され、前記上スライドブロックと前記上スライド溝の内壁との間には上バネが連結され、前記上スライドブロックの外端面には弧状板が固定的に設置され、前記弧状板は半円状であり、前記弧状板の相対端面にはゴムパッドが固定的に設置され、本発明は燻蒸消毒と紫外線消毒との二つの消毒方法をシャンデリアに集成し、使用の時に本発明を始動した後に燻蒸消毒と紫外線照射消毒とを行うことができ、消毒を十分にさせ、同時に消毒をする機構は作動していない時に全部シャンデリアの中に収納され、美観性と実用性を大いに高める。【選択図】図１
2020182790.tif 000002
【特許請求の範囲】
【請求項１】
正面視で、固定板と吊りロッドとを含み、前記吊りロッドの下側には固定軸が固定的に設置され、前記固定軸の中には外に開口した上スライド溝が左右対称的に設置され、前記上スライド溝の中には上スライドブロックがスライドできるように設置され、前記上スライドブロックと前記上スライド溝の内壁との間には上バネが連結され、前記上スライドブロックの外端面には弧状板が固定的に設置され、前記弧状板は半円状であり、前記弧状板の相対端面にはゴムパッドが固定的に設置され、左右の前記弧状板が当接していて球状の中間チャンバを形成し、前記弧状板の外表面には少なくとも一組の照明ライトが固定的に設置され、前記弧状板の外表面には前記照明ライトを閉鎖するランプシェードが固定的に設置され、前記ゴムパッドが互いに当接して前記中間チャンバを完全に閉鎖し、前記中間チャンバの中には中間板が設置され、前記中間板の前端面には前方に開口した下スライド溝が左右対称的に設置され、前記下スライド溝の中には下スライドブロックがスライドできるように設置され、前記下スライドブロックと前記下スライド溝の内壁との間には下バネが連結され、前記下スライドブロックと前記弧状板の内壁との間には第一ヒンジロッドがヒンジで連結され、それによって二つの前記弧状板が互いに離れた時、前記中間板が元の位置を保持し、前記中間チャンバの中には消毒機構が設置され、前記消毒機構は糸巻き輪軸と、伝動軸と、消毒液容器と、蒸発盤と、電熱線とを含み、前記糸巻き輪軸が前記中間板の前端面に回転できるように設置され、前記糸巻き輪軸と前記中間板との間にはトーションバネが連結され、前記糸巻き輪軸には糸巻き輪が固定的に設置され、前記糸巻き輪には引き紐が巻き付くように設置され、前記引き紐の一端が片側の前記弧状板の内壁と固定的に連結され、前記中間板の前端面には架台が固定的に設置され、前記伝動軸が回転して前記架台と回転できるように連結され、前記伝動軸と前記トーションバネとの間がラチェット機構によって伝動できるように連結され、前記消毒液容器の中には下方に開口した空きチャンバが設置され、前記空きチャンバの中には消毒液があり、前記消毒液は過酢酸などによって燻蒸消毒されることができる液体であり、前記伝動軸の前端が前記空きチャンバの中に伸びており、また前記伝動軸の前端には閉鎖球が固定的に設置され、前記閉鎖球の中には上方に開口した凹溝が設置され、前記消毒液容器の下端には連結ロッドが固定的に設置され、前記連結ロッドの下端には前記蒸発盤が固定的に設置され、前記蒸発盤の中には上方に開口した蒸発チャンバが設置され、前記連結ロッドの中には上端が前記空きチャンバに連通しており、下端が前記蒸発チャンバに連通している連通穴が設置され、前記閉鎖球は前記空きチャンバと前記連通穴とが連通しているところに位置しており、前記電熱線が前記蒸発盤の下側に位置しており、前記弧状板が互いに離れた時、前記引き紐によって伝動を行って前記空きチャンバの中の消毒液を前記蒸発チャンバの中に入らせ、前記電熱線が通電して熱量を生み出して加熱を行い、燻蒸消毒を実現することを特徴とする室内消毒シャンデリア。
【請求項２】
左右の前記弧状板の中には相対に開口した収納溝が設置され、前記収納溝の中には紫外線ライトがスライドできるように設置され、前記紫外線ライトがライト固定ロッドによって前記中間板の前端面と固定的に連結され、前記弧状板が互いに離れた時、前記紫外線ライトが出て開けられたことを特徴とする請求項１に記載の室内消毒シャンデリア。
【請求項３】
前記吊りロッドの中にはモーターチャンバが設置され、前記モーターチャンバの頂壁にはモーターが固定的に設置され、前記モーターの下端にはねじロッドが動力が伝達できるように連結され、前記モーターチャンバの中には前記ねじロッドとねじ山によって結合されたナットがスライドできるように設置され、前記吊りロッドの中には左右に貫通している貫通穴が設置され、前記ナットの前端面と前記弧状板の外表面との間には前記貫通穴を通った第二ヒンジロッドがヒンジで連結されたことを特徴とする請求項１に記載の室内消毒シャンデリア。
【請求項４】
前記空きチャンバが上方に開口しており、また開口の中には閉鎖栓がねじ山によって結合されたことを特徴とする請求項１に記載の室内消毒シャンデリア。
【発明の詳細な説明】
【技術分野】
【０００１】
本発明は照明器具技術分野に関わり、具体的には室内消毒シャンデリアである。
【背景技術】
【０００２】
目下、室内の消毒は一般的に紫外線照射の方法を利用するのであり、一定の効果を得るが、消毒効果が十分ではなく、燻蒸消毒と紫外線消毒とを同時に使用すれば、比較的によい消毒効果を収めることができ、しかし、燻蒸消毒の操作が複雑で、また道具を別に用意する必要があり、シャンデリアに消毒機能をつければ上記の問題を解決できる。
【先行技術文献】
【特許文献】
【０００３】
【特許文献１】中国特許出願公開第109442292号明細書
【発明の概要】
【発明が解決しようとする課題】
【０００４】
本発明は室内消毒シャンデリアを提供し、既存技術にある上記の欠点を解消することを目的とする。
【課題を解決するための手段】
【０００５】
本発明装置の室内消毒シャンデリアは、固定板と吊りロッドとを含み、前記吊りロッドの下側には固定軸が固定的に設置され、前記固定軸の中には外に開口した上スライド溝が左右対称的に設置され、前記上スライド溝の中には上スライドブロックがスライドできるように設置され、前記上スライドブロックと前記上スライド溝の内壁との間には上バネが連結され、前記上スライドブロックの外端面には弧状板が固定的に設置され、前記弧状板は半円状であり、前記弧状板の相対端面にはゴムパッドが固定的に設置され、左右の前記弧状板が当接していて球状の中間チャンバを形成し、前記弧状板の外表面には少なくとも一組の照明ライトが固定的に設置され、前記弧状板の外表面には前記照明ライトを閉鎖するランプシェードが固定的に設置され、前記ゴムパッドが互いに当接して前記中間チャンバを完全に閉鎖し、前記中間チャンバの中には中間板が設置され、前記中間板の前端面には前方に開口した下スライド溝が左右対称的に設置され、前記下スライド溝の中には下スライドブロックがスライドできるように設置され、前記下スライドブロックと前記下スライド溝の内壁との間には下バネが連結され、前記下スライドブロックと前記弧状板の内壁との間には第一ヒンジロッドがヒンジで連結され、それによって二つの前記弧状板が互いに離れた時、前記中間板が元の位置を保持し、前記中間チャンバの中には消毒機構が設置され、前記消毒機構は糸巻き輪軸と、伝動軸と、消毒液容器と、蒸発盤と、電熱線とを含み、前記糸巻き輪軸が前記中間板の前端面に回転できるように設置され、前記糸巻き輪軸と前記中間板との間にはトーションバネが連結され、前記糸巻き輪軸には糸巻き輪が固定的に設置され、前記糸巻き輪には引き紐が巻き付くように設置され、前記引き紐の一端が片側の前記弧状板の内壁と固定的に連結され、前記中間板の前端面には架台が固定的に設置され、前記伝動軸が回転して前記架台と回転できるように連結され、前記伝動軸と前記トーションバネとの間がラチェット機構によって伝動できるように連結され、前記消毒液容器の中には下方に開口した空きチャンバが設置され、前記空きチャンバの中には消毒液があり、前記消毒液は過酢酸などによって燻蒸消毒されることができる液体であり、前記伝動軸の前端が前記空きチャンバの中に伸びており、また前記伝動軸の前端には閉鎖球が固定的に設置され、前記閉鎖球の中には上方に開口した凹溝が設置され、前記消毒液容器の下端には連結ロッドが固定的に設置され、前記連結ロッドの下端には前記蒸発盤が固定的に設置され、前記蒸発盤の中には上方に開口した蒸発チャンバが設置され、前記連結ロッドの中には上端が前記空きチャンバに連通しており、下端が前記蒸発チャンバに連通している連通穴が設置され、前記閉鎖球は前記空きチャンバと前記連通穴とが連通しているところに位置しており、前記電熱線が前記蒸発盤の下側に位置しており、前記弧状板が互いに離れた時、前記引き紐によって伝動を行って前記空きチャンバの中の消毒液を前記蒸発チャンバの中に入らせ、前記電熱線が通電して熱量を生み出して加熱を行い、燻蒸消毒を実現する。
【０００６】
好ましくは、左右の前記弧状板の中には相対に開口した収納溝が設置され、前記収納溝の中には紫外線ライトがスライドできるように設置され、前記紫外線ライトがライト固定ロッドによって前記中間板の前端面と固定的に連結され、前記弧状板が互いに離れた時、前記紫外線ライトが出て開けられ、それによってよりよい消毒効果を収める。
【０００７】
好ましくは、前記吊りロッドの中にはモーターチャンバが設置され、前記モーターチャンバの頂壁にはモーターが固定的に設置され、前記モーターの下端にはねじロッドが動力が伝達できるように連結され、前記モーターチャンバの中には前記ねじロッドとねじ山によって結合されたナットがスライドできるように設置され、前記吊りロッドの中には左右に貫通している貫通穴が設置され、前記ナットの前端面と前記弧状板の外表面との間には前記貫通穴を通った第二ヒンジロッドがヒンジで連結され、前記モーターが起動した時に前記弧状板を制御して互いに離れさせる。
【０００８】
好ましくは、前記空きチャンバが上方に開口しており、また開口の中には閉鎖栓がねじ山によって結合された。
【発明の効果】
【０００９】
以上により、本発明は燻蒸消毒と紫外線消毒との二つの消毒方法をシャンデリアに集成し、使用の時に本発明を始動した後に燻蒸消毒と紫外線照射消毒とを行うことができ、消毒を十分にさせ、同時に消毒をする機構は作動していない時に全部シャンデリアの中に収納され、美観性と実用性を大いに高める。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の室内消毒シャンデリアの全体構造略図
【図２】図２は図１の中のＡ―Ａのところの構造略図
【図３】図３は図１の中のＢ―Ｂのところの構造略図
【図４】図４は図１の中のＣのところの構造略図
【図５】図５は図１の中のＤのところの構造略図
【発明を実施するための形態】
【００１２】
図１〜５に示すように、本発明装置の室内消毒シャンデリアは、固定板１０と吊りロッド１２とを含み、前記吊りロッド１２の下側には固定軸１４が固定的に設置され、前記固定軸１４の中には外に開口した上スライド溝４９が左右対称的に設置され、前記上スライド溝４９の中には上スライドブロック５２がスライドできるように設置され、前記上スライドブロック５２と前記上スライド溝の内壁との間には上バネ５０が連結され、前記上スライドブロック５２の外端面には弧状板５１が固定的に設置され、前記弧状板５１は半円状であり、前記弧状板５１の相対端面にはゴムパッド２９が固定的に設置され、左右の前記弧状板５１が当接していて球状の中間チャンバ４０を形成し、前記弧状板５１の外表面には少なくとも一組の照明ライト３４が固定的に設置され、前記弧状板５１の外表面には前記照明ライト３４を閉鎖するランプシェード１６が固定的に設置され、前記ゴムパッド２９が互いに当接して前記中間チャンバ４０を完全に閉鎖し、前記中間チャンバ４０の中には中間板４１が設置され、前記中間板４１の前端面には前方に開口した下スライド溝３８が左右対称的に設置され、前記下スライド溝３８の中には下スライドブロック２５がスライドできるように設置され、前記下スライドブロック２５と前記下スライド溝３８の内壁との間には下バネ３７が連結され、前記下スライドブロック２５と前記弧状板５１の内壁との間には第一ヒンジロッド３９がヒンジで連結され、それによって二つの前記弧状板５１が互いに離れた時、前記中間板４１が元の位置を保持し、前記中間チャンバ４０の中には消毒機構１００が設置され、前記消毒機構１００は糸巻き輪軸４５と、伝動軸４２と、消毒液容器２４と、蒸発盤２６と、電熱線３３とを含み、前記糸巻き輪軸４５が前記中間板４１の前端面に回転できるように設置され、前記糸巻き輪軸４５と前記中間板４１との間にはトーションバネ４４が連結され、前記糸巻き輪軸４５には糸巻き輪４６が固定的に設置され、前記糸巻き輪４６には引き紐４７が巻き付くように設置され、前記引き紐４７の一端が片側の前記弧状板５１の内壁と固定的に連結され、前記中間板４１の前端面には架台４３が固定的に設置され、前記伝動軸４２が回転して前記架台４３と回転できるように連結され、前記伝動軸４２と前記トーションバネ４４との間がラチェット機構４８によって伝動できるように連結され、前記消毒液容器２４の中には下方に開口した空きチャンバ２３が設置され、前記空きチャンバ２３の中には消毒液があり、前記消毒液は過酢酸などによって燻蒸消毒されることができる液体であり、前記伝動軸４２の前端が前記空きチャンバ２３の中に伸びており、また前記伝動軸４２の前端には閉鎖球５５が固定的に設置され、前記閉鎖球５５の中には上方に開口した凹溝５３が設置され、前記消毒液容器２４の下端には連結ロッド３５が固定的に設置され、前記連結ロッド３５の下端には前記蒸発盤２６が固定的に設置され、前記蒸発盤２６の中には上方に開口した蒸発チャンバ２７が設置され、前記連結ロッド３５の中には上端が前記空きチャンバ２３に連通しており、下端が前記蒸発チャンバ２７に連通している連通穴２８が設置され、前記閉鎖球５５は前記空きチャンバ２３と前記連通穴２８とが連通しているところに位置しており、前記電熱線３３が前記蒸発盤２６の下側に位置しており、前記弧状板５１が互いに離れた時、前記引き紐４７によって伝動を行って前記空きチャンバ２３の中の消毒液を前記蒸発チャンバ２７の中に入らせ、前記電熱線３３が通電して熱量を生み出して加熱を行い、燻蒸消毒を実現する。
【００１３】
有益なように、左右の前記弧状板５１の中には相対に開口した収納溝３２が設置され、前記収納溝３２の中には紫外線ライト３０がスライドできるように設置され、前記紫外線ライト３０がライト固定ロッド３１によって前記中間板４１の前端面と固定的に連結され、前記弧状板５１が互いに離れた時、前記紫外線ライト３０が出て開けられ、それによってよりよい消毒効果を収める。
【００１４】
有益なように、前記吊りロッド１２の中にはモーターチャンバ１９が設置され、前記モーターチャンバ１９の頂壁にはモーター２０が固定的に設置され、前記モーター２０の下端にはねじロッド３６が動力が伝達できるように連結され、前記モーターチャンバ１９の中には前記ねじロッド３６とねじ山によって結合されたナット２１がスライドできるように設置され、前記吊りロッド１２の中には左右に貫通している貫通穴１１が設置され、前記ナット２１の前端面と前記弧状板５１の外表面との間には前記貫通穴１１を通った第二ヒンジロッド１３がヒンジで連結され、前記モーター２０が起動した時に前記弧状板５１を制御して互いに離れさせる。
【００１５】
有益なように、前記空きチャンバ２３が上方に開口しており、また開口の中には閉鎖栓２２がねじ山によって結合された。
【００１６】
上記の室内消毒シャンデリアの実現方法は、以下のステップを含む：
【００１７】
照明する時、前記照明ライト３４を開けて照明する。
【００１８】
消毒する時、前記モーター２０を始動し、前記ねじロッド３６が回転して前記ナット２１を上方へスライドさせ、それによって前記第二ヒンジロッド１３によって前記弧状板５１を連動させて互いに離れさせ、前記弧状板５１が前記固定軸１４を回って回転し、前記紫外線ライト３０が露出して付けられ、紫外線照射での消毒を行い、前記弧状板５１が起動する時に前記引き紐４７によって前記糸巻き輪４６を引き動かして回転させ、前記ラチェット機構４８によって前記伝動軸４２を回転連動させ、前記伝動軸４２が前記閉鎖球５５を回転連動させ、それによって前記凹溝５３によって前記空きチャンバ２３の中の消毒液が前記連通穴２８を経由して前記蒸発チャンバ２７の中に入り、前記電熱線３３が通電して熱量を生み出して前記蒸発盤２６を加熱し、それによって前記蒸発チャンバ２７の中の消毒液を蒸発させて燻蒸消毒を行い、指定された時間に達した後、前記モーター２０が起動して反転して、前記弧状板５１を復帰させ、この時に人が室内に入り、前記ゴムパッド２９が当接して残された消毒液が空気の中に入ることを防止し、室内の人に危害を及ぼすことを避ける。
【００１９】
以上により、本発明は燻蒸消毒と紫外線消毒との二つの消毒方法をシャンデリアに集成し、使用の時に本発明を始動した後に燻蒸消毒と紫外線照射消毒とを行うことができ、消毒を十分にさせ、同時に消毒をする機構は作動していない時に全部シャンデリアの中に収納され、美観性と実用性を大いに高める。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182790.tif 000003
【図２】
2020182790.tif 000004
【図３】
2020182790.tif 000005
【図４】
2020182790.tif 000006
【図５】
2020182790.tif 000007